(57)【特許請求の範囲】
【請求項１】
１mm長さ中に１００乃至３０００個の極細の刃状部が高さを異にして密生している0.１乃至0.００１デニールの多角断面極細繊維を含んだ不織布に、保湿剤を含んだローションが含浸されており、
前記不織布の拭き取り面に複数の突部が設けられており、
前記保湿剤が、ヒアルロン酸、コラーゲン、アロエエキス、シソエキス、モモノハエキス、プロピレングリコール、ヘチマエキス、ビタミンＥの少なくとも一つを含んでいる洗顔クリーナー。  
【発明の詳細な説明】
【０００１】
【産業上の利用分野】
本発明は、顔の化粧落としや脂拭き等に使用する不織布の洗顔クリーナーに関するものである。
【０００２】
【従来の技術】
従来のものは表面の汚れを取るものはあったが、脂肪分はあまり取れていなかった。まして老化角質まで取るものは全くなかった。そして、拭き取りを目的とするだけで、塵、脂肪、皮膚老化角質を取りながら同時に潤いを与える洗顔クリーナーはなかった。
【０００３】
【発明が解決しようとする課題】
本発明は、肌に付着した塵、脂肪、皮膚老化角質を効率良く除去すると共に肌に潤いを与える洗顔クリーナーの提供を目的とするものである。
【０００４】
【課題を解決するための手段】
本発明は、上記課題を解決するために、多角断面極細繊維を含んだ不織布に保湿剤を含んだローションを含浸させたことを特徴とする洗顔クリーナーであり、付加的構成要件として、多角断面極細繊維を含んだ不織布の拭き取り面に突部を設けたことを特徴とするものである。
【０００５】
【作用】
本発明が、洗顔クリーナーとして極細繊維の中で特に多角断面極細繊維を選んだのは、図１に例示したように繊維の断面の角の部分が１ｍｍ長さ中にほぼ１００乃至３０００個という極細の刃状部３を形成していることに着目したからである。この刃状部３の作用は、例えば、剃刀の一枚刃の場合は毛穴に切り込んで傷つけやすいが、二枚刃の場合は最初の刃が切り込む以前に二枚目の刃が皮膚に当たって相互に切り込みの防止作用をするものであるが、本発明で用いる多角断面極細繊維は１ｍｍ長さ中ほぼ１００乃至３０００個という極細の刃状部３が緻密に密生しているから、前述の剃刀の二枚刃が切り込み度合いを１／２とすれば、ほぼ１／１００乃至１／３０００となって全く傷をつけず塵を除去するものである。
本発明はこの刃状部に着目し、その性能を利用して優しく塵や脂肪、老化角質までも除去させて肌の再生を促し、にきびの予防効果も得られるものである。
そして、汚れを取ったあと含浸させた保湿剤で肌に潤いを与えるものである。
また、複数の突部を設けた場合は、突部の刃状部３が塵や老化角質を除去するとともに、この塵や老化角質を拭き取り時の摺接方向によせて隣接する凹部に収納させるという機能が発生する。
従って、取り外した塵や老化角質が拭き取り面に付着しているフラットな場合に比して、拭き取り面の刃状部３への塵の絡みが少なくなるから刃状部の機能を損ねることなく効率よく除去できる。
【０００６】
【実施例１】
アクリル、ポリプロピレン、ポリエステル、ポリエチレン多角断面極細繊維不織布またはそれらの混合の多角断面極細繊維を含んだ不織布を使用する。
多角断面極細繊維としては、旭化成工業株式会社のシャレリア（商標）や、大和紡績株式会社のミラクルクロス（商標）が開発されているから、これらの多角断面極細繊維を１００％使用してもよいし、安価にするためにパルプ、ポリエステル、ポリプロピレン、綿およびその他の繊維の全部もしくはいずれかの一般繊維を混合してもよい。
シャレリア（商標）多角断面極細繊維５０％乃至７０％、パルプ３０％乃至５０％混合したもので、目付２０ｇ／ｍ２乃至１００ｇ／ｍ２が好ましい。厚さは０・２ｍｍ乃至０・５ｍｍ程度が好ましい。
【０００７】
上記のシャレリア（商標）は、図１に示したように多角断面に形成した０・１乃至０・００１デニールの極細アクリル繊維ａ・ａ・・を不織布に加工したものである。また、ミラクルクロス（商標）は、図２に示したようにポリオレフィン系ポリマー、ポリエステル系ポリマー、ナイロン系ポリマー等を組み合わせた分割繊維ｂ・ｃ・ｄ（分割前）をウオータージェット工法により分割してできた多角断面極細繊維ｂ・ｃ・ｄ（分割後）を不織布としたものである。
この多角断面極細繊維に一般繊維を混入してもよい。
【０００８】
上記のような不織布１にローションを含浸させるのであるが、ローションには保湿剤としてヒアルロン酸、コラーゲン、アロエエキス、シソエキス、モモノハエキス、プロピレングリコール、ヘチマエキス、ビタミンＥの少なくとも一つを混入するものであるが、一例としてコラーゲン１乃至２％、またはヒアルロン酸０・００１％乃至０・０２％の少なくともいずれかを配合し、殺菌剤として塩化ベンザルコニュウム０・０１乃至０・０２％、防腐剤としてパラオキシ安息香酸エチル０・００１乃至０・１％、清涼剤としてエタノール５乃至１０％を配合する。
不織布１の刃状部３が優しく塵や脂肪、老化角質を除去して清潔にしたあと保湿剤を塗布して肌に潤いを与え、にきびを予防し美容効果を得るものである。
【０００９】
【実施例２】
図３に例示したものは、多角断面極細繊維を含んだ不織布１の拭き取り面に突部２を設けた断面図である。
突部２はエンボス加工または皺加工によって形成してもよいし、その他の手段を用いてもよい。
突部２を設けたことにより、多角断面極細繊維の刃状部３が前述の二枚刃の如き作用をなして、従来の不織布では取れなかった皮膚老化角質をも肌をいめないで優しく取りながら、その塵を凹部に寄せて収納させるという従来の不織布からは得られなかった機能を発揮するものである。従って、拭き取り面がフラットであると拭き取り面に塵が付着して塵除去機能を低下させるが、この場合は突部の除去機能が損なわれない効果があり、細部の塵も除去できる。こうして肌を清潔にしたあとローション中の保湿剤ヒアルロン酸またはコラーゲンが塗布されて肌に潤いを与える。
【００１１】
【実施例３】
不織布に厚みやこしを持たせるためにスポンジや他の不織布を積層してもよいのは勿論のことである。
図４は厚みをもたせてパフにした場合を例示している。
コットンまたはレーヨン綿４の両面に多角断面極細繊維不織布１をサンドイッチ状に積層し両側を熱シール５したものである。
目付は、不織布２０ｇ／ｍ２乃至６０ｇ／ｍ２、厚さ０・３ｍｍ乃至５・０ｍｍ（シール面を含む）が好ましい。
図５はスポンジ６の両面に突部２を設けた多角断面極細繊維不織布１ａをサンドイッチ状に積層し、周囲を熱シール５したものである。
目付は、不織布２０ｇ／ｍ２乃至１００ｇ／ｍ２、厚さ０・３ｍｍ乃至５・０ｍｍ（シール面を含む）が好ましい。
ローションの配合は実施例１と同様でよい。
【００１２】
大判にして、Ｊリーグサッカーなどスポーツ観戦時に顔や手に塗った顔料の拭き取り用にしてもよい。
この場合はエチルアルコール１０％乃至３０％として、顔料を溶かして拭き取る。保湿剤剤は実施例１と同様でよい。
溶かした顔料や汚れを多角断面極細繊維不織布が吸収し、刃状部３がしつこい汚れを優しく取る。突部２を設けた場合は塵の除去と掃き寄せ機能を発揮し、次いで凹部に塵溜の機能を生じさせるものである。
【００１３】
【実施例４】
大判にすると乳幼児や寝たきり老人などの身体やお尻拭き用にも使用できる。
この場合は、多角断面極細繊維不織布５０％乃至７０％、パルプ３０％乃至５０％、目付２０ｇ／ｍ２乃至１００ｇ／ｍ２、厚さ０・２ｍｍ乃至０・７ｍｍが好ましい。  保湿剤としてプロピレングリコール３乃至５％、防腐剤としてエチルパラベン  ０・１乃至０・１５％、またはブチルパラベン０・０２乃至０・０５％、或いはモモノハナエキスを０・１乃至０・５％を精製水に配合するのが適当である。
【００１４】
これらのローションを含浸させた洗顔クリーナーは、図６に例示したように非透水性フィルムのフラップ７付ピロー包装にすればよい。
非透水性フィルムとしてポリエチレンラミネート、アルミ箔フィルムを用いるとよい。化粧落とし用は一個包装が好ましく、身体やお尻拭き用は複数個入りが好ましい。
【発明の効果】
本発明の効果として特筆すべきは、極細繊維の中で特に多角断面極細繊維の断面の角の部分が１ｍｍ長さ中にほぼ１００乃至３０００個という極細の刃状部を形成することに着目し、この高さを異にして緻密に密生した刃状部の有する前述の二枚刃の如き作用を発見したことである。
この多角断面極細繊維の刃状部で肌を傷めないで塵や脂肪や老化角質までも取ると同時にヒアルロン酸、コラーゲン、アロエエキス、シソエキス、モモノハエキス、プロピレングリコール、ヘチマエキス、ビタミンＥ等の保湿剤が塗布されるから、相乗効果により肌の再生を促し、にきびを予防して美容効果が得られる。
また突部は除去した塵や脂肪や老化角質を拭き取り時の摺接方向に掃き寄せて隣接する凹部に収納させるという新規な機能を発揮するから、突部表面に除去した塵の付着を最小限にして塵除去機能を損なわず、塵収容力も増大してクリーナー効果を有効にする。
【図面の簡単な説明】
【図１】多角断面極細繊維の説明図である。
【図２】他の多角断面極細繊維の説明図である。
【図３】本発明の実施例２を示す断面図である。
【図４】本発明の実施例３を示す斜視図である。
【図５】本発明の実施例３を示す斜視図である。
【図６】包装状態を例示した斜視図である。
【符号の説明】
１・・・・・多角断面極細繊維不織布
２・・・・・突部
３・・・・・刃状部
ａ・・・・・多角断面極細繊維の断面図
ｂ・ｃ・ｄ・分割繊維
【図１】
0003685265.tif 000002
【図２】
0003685265.tif 000003
【図３】
0003685265.tif 000004
【図４】
0003685265.tif 000005
【図５】
0003685265.tif 000006
【図６】
0003685265.tif 000007